(57)【特許請求の範囲】
【請求項１】
発光ダイオードからなる複数の発光素子と、
前記複数の発光素子が実装される長尺状の複数の発光素子基板と、
前記複数の発光素子基板が固定される長尺状の平板部及び当該平板部の短手方向側縁から立ち上がる側板を有する箱状の収納ケースと、を備え、
前記複数の発光素子は、前記複数の発光素子基板の長手方向に一列に並んで配置され、
前記複数の発光素子基板は、複数列の前記発光素子基板が前記平板部の短手方向に離間して配置されており、
各列の前記発光素子基板は、複数の短尺状の分割発光素子基板を前記平板部の長手方向に列状に配置することで構成されており、
前記収納ケースは前記長尺状の平板部の長手方向縁部から立ち上がる長手方向側板を備えており、
前記長手方向側板には、前記発光素子基板を前記収納ケースの内部に挿入するための基板挿入口が設けられている発光ユニット。
【請求項２】
前記基板挿入口には、閉塞部材が取り付けられている請求項１に記載の発光ユニット。
【請求項３】
請求項１又は２に記載の発光ユニットと、
システム天井の互いに向かい合う一対の梁部材に取り付けられて前記発光ユニットを収容する器具本体と、を備え、
前記器具本体は、少なくとも２つの前記発光ユニットを収容するユニット装着部が形成されている枠体構造である照明装置。
【請求項４】
前記器具本体は、開口部を設けて２つの前記ユニット装着部を離間して取り付けている一対の支持板を備えている請求項３に記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）からなる複数の発光素子を光源とした発光ユニット及び照明装置に関する。
【背景技術】
【０００２】
この種の従来技術として、例えば特許文献１に開示された照明装置が知られている。
特許文献１の照明装置は、長尺状の発光ユニット（特許文献１では光源ユニットと称している）と、四角形状の枠体として形成され、互いに対向する一対の対辺側に２つのユニット収納部（特許文献１では光源収納部と称している。）を形成した器具本体とを備え、２つのユニット収納部に発光ユニットを収納した装置であり、システム天井などに照明装置として設置されている。
特許文献１の発光ユニットは、長尺なユニット本体と、このユニット本体の下面に取付けられた発光モジュールと、発光モジュールを覆っている透光カバーなどを備えている。
発光モジュールは、長尺状の基板と、この基板に実装された複数の発光素子とを備えており、複数の発光素子は、基板の長手方向に一列に並んだ状態で、基板の短手方向に２列配置されている。
【先行技術文献】
【特許文献】
【０００３】
【特許文献１】特開２０１５−１６２３６８号公報
【発明の概要】
【発明が解決しようとする課題】
【０００４】
ところで、特許文献１の発光ユニットは、基板に実装されている２列の発光素子の間（内側）で発生して室内側に照射する出射光に対して、各列の発光素子の外側で発生する出射光は天井側に照射しやすい。そのため、２列の発光素子の内側の光量と比べて、各列の発光素子の外側の光量が大幅に低下しやすいので、面発光の領域が狭い発光ユニットとなりやすい。
そこで、２列の発光素子の間隔を長くして面発光の領域を広くことが考えられるが、光量の大きな発光素子を使用しないと、面発光の均一性が損なわれるおそれがある。
【０００５】
そこで、本発明は、光量の大きな発光素子を使用しなくても、均一な面発光を広い領域で確保することがきる発光ユニット及び照明装置を提供することを目的としている。
【課題を解決するための手段】
【０００６】
上記目的を達成するために、本発明に係る発光ユニットは、発光ダイオードからなる複数の発光素子と、複数の発光素子が実装される長尺状の複数の発光素子基板と、複数の発光素子基板が固定される長尺状の平板部及び平板部の短手方向側縁から立ち上がる側板を有する箱状の収納ケースと、を備え、複数の発光素子は、複数の発光素子基板の長手方向に一列に並んで配置され、複数の発光素子基板は、３列以上の発光素子基板が平板部の短手方向に離間して配置されており、側板に隣接して配置されている発光素子基板と平板部の短手方向縁部との距離は、短手方向に隣接して配置されている一対の発光素子基板の間の距離に比べて小さく設定されている。
【０００７】
また、本発明に係る照明装置は、上述した発光ユニットと、システム天井の互いに向かい合う一対の梁部材に取り付けられて発光ユニットを収容する器具本体と、を備え、器具本体は、少なくとも２つの発光ユニットを収容するユニット装着部が形成されている。
【発明の効果】
【０００８】
本発明に係る発光ユニット及び照明装置によれば、光量の大きな発光素子を使用しなくても、均一な面発光を広い領域で確保することがきる。
【図面の簡単な説明】
【０００９】
【図１】本発明に係る第１実施形態の照明装置を天井側から示した斜視図である。
【図２】本発明に係る第１実施形態の照明装置の構成部材を示した斜視図である。
【図３】本発明に係る第１実施形態の照明装置を室内側から示した分解斜視図である。
【図４】第１実施形態の照明装置の器具本体の構成を示した分解斜視図である。
【図５】第１実施形態の照明装置の発光ユニットの構成を示した分解斜視図である。
【図６】第１実施形態の照明装置の発光ユニットを正面から示した図である。
【図７】第１実施形態の照明装置の発光ユニットを背面から示した図である。
【図８】第１実施形態の発光ユニットを構成するカバーの構造を示した図である。
【図９】図７におけるＢ−Ｂ線矢視図である。
【図１０】第１実施形態の発光ユニットの要部を拡大して示した図である。
【図１１】図１におけるＡ−Ａ線矢視図である。
【図１２】第１実施形態の発光ユニットを構成する３枚の発光素子基板の配置を示した図である。
【図１３】（ａ）は第１実施形態の３枚の発光素子基板を接続するコネクタ構造であり、（ｂ）は従来のコネクタ構造を示すものである。
【図１４】本発明に係る第２実施形態の３枚の発光素子基板を接続するコネクタ構造を示す図である。
【図１５】本発明に係る第３実施形態の照明装置を室内側から示した斜視図である。
【図１６】第３実施形態の照明装置を構成する発光ユニットを斜視図で示した図である。
【図１７】図１５におけるＣ−Ｃ線矢視図である。
【発明を実施するための形態】
【００１０】
次に、図面を参照して、本発明の第１及び第３施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す第１及び第３実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【００１１】
［第１実施形態の照明装置］
図１から図３は、本発明に係る第１実施形態の照明装置１を示す図である。これらの図において、照明装置の上下方向の上側をＺ軸の矢印で示し、左右方向の左側をＹ軸の矢印で示し、前側をＸ軸の矢印で示している。
図１に示すように、第１実施形態の照明装置１は、複数本のＴバー２のうち少なくとも一部が互いに平行に配置されて構成されるシステム天井の向かい合う一対のＴバー２の間に取り付けられて使用される装置である。
システム天井において、複数本のＴバー２は例えば平面視で格子状に配置されており、格子状に配置された複数本のＴバー２がリップ溝形鋼（Ｃチャンネル）のような横架材（図示せず）に懸架されている。
図１及び図２に示すように、第１実施形態の照明装置１は、向かい合う一対のＴバー２の間に取り付けられる器具本体３と、この器具本体３に着脱自在に収容される２台の発光ユニット４Ａ，４Ｂと、を備えている。
【００１２】
［第１実施形態の器具本体］
器具本体３は、図３及び図４に示すように、一対のユニット装着部５Ａ、５Ｂと、開口部６を設けて一対のユニット装着部５Ａ，５Ｂを離間して取り付けている一対の支持板７Ａ，７Ｂと、一対の支持板７Ａ，７Ｂにそれぞれ取り付けられるＴバーフック８と、発光ユニット４Ａ，４Ｂをユニット装着部５Ａ、５Ｂに取付けるためのバネ金具９と、一方の支持板７Ｂに取り付けられた電源端子台１０及び調光端子台１１（図２も参照）と、一方のユニット装着部５Ｂに取付けられた電源ボックス１２と、を備えている。
また、一対の支持板７Ａ，７Ｂには、発光ユニット４Ａ，４Ｂを受けるユニット受け１６と、電気配線が器具本体３の外側から見えないように隠す配線隠し１７と、電気配線を保持する電線固定部材１８とが固定される。
【００１３】
ユニット装着部５Ａは、図４に示すように、長方形状の支持板５ａと、支持板５ａの幅方向の両縁部からコ字状に折曲されて立ち上がっている一対の側壁５ｂ，５ｃとを備えている。また、ユニット装着部５Ｂも、支持板５ａ及び一対の側壁５ｂ，５ｃを備えた同一構造の部材である。
バネ金具９は、ユニット装着部５Ａ、５Ｂの支持板５ａに設けられており、バネ１３と、バネ１３を支持するバネ支持部１４と、バネ１３の弾性力によって支持板５ａ側へ押圧するアーム部１５とを備えており、バネ支持部１４は締結部材（例えば、ネジ又はリベット等）によって支持板５ａに固定されている。
【００１４】
［第１実施形態の発光ユニット］
図５は、発光ユニット４Ａを構成する部材を示し、図６はカバー２４を外した発光ユニット４Ａの内部を示し、図７は発光ユニット４Ａを背面側から示している。
ここで、他の１台の発光ユニット４Ｂは、発光ユニット４Ａと同一構成の装置なので説明は省略する。
発光ユニット４Ａは、図５に示すように、ＬＥＤ（Ｌｉｇｈｔ  Ｅｍｉｔｔｉｎｇ  Ｄｉｏｄｅ：発光ダイオード）からなる複数の発光素子２０が実装されている長尺状の３枚の発光素子基板２１Ａ，２１Ｂ，２１Ｃと、長方形状の平板部２２を有する箱状の収納ケース２３と、収納ケース２３の開口部を閉塞するカバー２４と、平板部２２の内面に面接触した状態で配置する反射シート２５と、収納ケース２３の平板部２２に３枚の発光素子基板２１Ａ，２１Ｂ，２１Ｃを装着する複数の基板固定部材２６と、収納ケース２３の開口部の周縁に装着され、収納ケース２３の開口部とカバー２４との密閉性を確保する弾性部材３０Ａ，３０Ｂ，３０Ｃ，３０Ｄと、収納ケース２３の背面に取り付けられる複数のバネ掛止具３２と、を備えている。
【００１５】
３枚の発光素子基板２１Ａ，２１Ｂ，２１Ｃは、主面側に複数の発光素子２０が実装されており、複数の発光素子２０間を接続する導電層（図示せず）と、導電層を覆って保護する保護層（図示せず）と、導電層に接続する後述するコネクタ端子と、を備えている。
複数の発光素子２０は、例えば半導体を用いたｐｎ接合を有し、ｐｎ接合の順方向にバイアスが加えられて電流が流れると、電子と正孔とが再結合して光を放出する素子である。発光素子２０が発光する色は特に制限されず、例えば昼白色でもよいし、電球色でもよい。
【００１６】
収納ケース２３は、熱伝導性に優れ、発光素子２０からの出射光を反射することが可能な表面を有する材料で形成されているおり、平板部２２の幅方向縁部で折曲されて同一方向に立ち上がっている一対の幅方向側板２７Ａ，２７Ｂと、平板部２２の長手方向縁部に固定される一対の長手方向側板２８Ａ，２８Ｂと、を備えている。なお、一対の長手方向側板２８Ａ，２８Ｂの開口縁部は折り返されてヘミング部３３が形成されている。
平板部２２の長手方向の両端側及び長手方向の中央部には、基板固定部材２６の一部を通過させる一対の係止部スリット２２ａ，２２ａが短手方向に３組形成されている。
【００１７】
一対の幅方向側板２７Ａ，２７Ｂ及び一対の長手方向側板２８Ａ，２８Ｂは、収納ケース２３の開口部が平板部２２の長方形状より大きな長方形状となるように、平板部２２に対して９０度より大きな角度で立ち上がっている。
そして、一対の幅方向側板２７Ａ，２７Ｂの開口側の縁部に、弾性部材３０Ａ，３０Ｂ，３０Ｃ，３０Ｄが装着される。
反射シート２５は、発光素子２０からの出射光を反射する材質で構成されており、例えばポリエチレンテレフタラート（ＰＥＴ）又はポリプロピレン（ＰＰ）などの樹脂部材であり、白色系であり、光沢を有する。この反射シート２５の長手方向の両端側及び長手方向の中央部にも、基板固定部材２６の一部を通過させる一対の係止部スリット２５ａ，２５ａが短手方向に３組形成されている。
【００１８】
カバー２４は、発光素子２０からの出射光を拡散させつつ透過させる部材である。このカバー２４は、図８に示すように、一方の面２４ａを凹凸面として形成する。また、その一方の面２４ａ上に塗料を塗布することで塗装部２４ｂを設けてもよい。また、一方の面２４ａの逆側の他方の面２４ｃは、一方の面２４ａの凹凸面より細かな凹凸面として形成されている。他方の面２４ｃの形成方法としては、前述した凹凸面の上にさらに研磨処理を行う。これにより、このカバー２４は、塗装部２４ｂが設けられた一方の面２４ａ、又は、塗装部がない一方の面２４ａはつやがある面とされ、他方の面２４ｃがつやが無い面とされ、収納ケース２３の開口部に装着することで、コストの低減化を図りながら、意匠性を向上させることができる。
【００１９】
次に、収納ケースの平板部２２に発光素子基板２１Ａ，２１Ｂ，２１Ｃを装着する方法について、図９及び図１０を参照して説明する。
図８に示すように、基板固定部材２６は、保持板２６ａと、保持板２６ａの一方の面から互いに平行に伸びる一対の腕部２６ｂ，２６ｂと、これら一対の腕部２６ｂ，２６ｂの先端から互いが近接する方向に突出して形成された一対の係止部２６ｃ，２６ｃとを備えている。
また、図９に示すように、収納ケース２３の長手方向側板２８Ｂには、発光素子基板２１Ａ，２１Ｂ，２１Ｃを、収納ケース２３の内部に挿入する３箇所の基板挿入口３４が形成されている。
先ず、図９に示すように、平板部２２の内面に反射シート２５を配置し、互いに対応した平板部２２の各組の係止部スリット２２ａ，２２ａ及び反射シート２５の各組の係止部スリット２５ａ，２５ａに、平板部２２の背面側から基板固定部材２６の一対の腕部２６ｂ，２６ｂを通過させる。
【００２０】
次に、図１０に示すように、基板挿入口３４から収納ケース２３の内部に入れた発光素子基板２１Ｃを、収納ケース２３内の反射シート２５と基板固定部材２６の一対の係止部２６ｃ，２６ｃとの間に挿入していくことで、反射シート２５上に発光素子基板２１Ｃが装着される。
また、他の２枚の発光素子基板２１Ａ，２１Ｂも、同様の手順で反射シート２５上に装着する。なお、これら基板挿入口３４は、発光素子基板２１Ａ，２１Ｂ，２１Ｃを挿入した後は閉塞部材３５で閉じられる。
【００２１】
［第１実施形態の器具本体への発光ユニットの装着］
上記構成の発光ユニット４Ａ，４Ｂは、器具本体３のユニット装着部５Ａ、５Ｂの内部に配置され、発光ユニット４Ａ，４Ｂの背面に設けたバネ掛止具３２を、ユニット装着部５Ａ、５Ｂのバネ金具９に係合することで、ユニット装着部５Ａ、５Ｂに着脱自在に装着される。
すなわち、図１１に示すように、発光ユニット４Ａは器具本体３のユニット装着部５Ａの内部に配置され、発光ユニット４Ａの背面に設けたバネ掛止具３２にユニット装着部５Ａに設けたバネ金具９のアーム部１５を通し、バネ金具９のバネ１３の弾性力で発光ユニット４Ａ４をユニット装着部５Ａに押し付けることで固定される。また、発光ユニット４Ｂも同様の手順で器具本体３のユニット装着部５Ｂに装着する。
【００２２】
［第１実施形態の発光素子基板の配置について］
次に、第１実施形態の収納ケース２３に装着されている３枚の発光素子基板２１Ａ，２１Ｂ，２１Ｃについて、図６と図１２を参照して説明する。なお、図１２は、収納ケース２３内に配置した発光ユニット４Ａ，４Ｂを模式的に示した図である。
図６示すように、３枚の発光素子基板２１Ａ，２１Ｂ，２１Ｃは、短手方向、長手方向の寸法を同一とした板状の長尺部材であり、一方の面の短手方向中央に、複数の発光素子２０が同一間隔で一列に並んで実装されている。
３枚の発光素子基板２１Ａ，２１Ｂ，２１Ｃは、図１２に示すように、平板部２２の短手方向に距離（以下、基板間距離と称する）Ｌ１の間隔をあけて等間隔に配置されている。
【００２３】
収納ケース２３の一方の幅方向側板２７Ｂに隣接して配置されている発光素子基板２１Ａと、平板部２２の短手方向の一方の縁部２２ｃとの距離（以下、側板−基板間距離と称する）はＬ２に設定されている。
また、収納ケース２３の他方の幅方向側板２７Ａに隣接して配置されている発光素子基板２１Ｃと、平板部２２の短手方向の他方の縁部２２ｄとの側板−基板間距離もＬ２に設定されている。
そして、側板−基板間距離Ｌ２は、基板間距離Ｌ１に比べて小さな値に設定されている（Ｌ２＜Ｌ１）。
【００２４】
［第１実施形態の発光素子基板の配線構造］
図６に示す３枚の発光素子基板２１Ａ，２１Ｂ，２１Ｃは、各基板に実装されている複数の発光素子３０が直列に接続されている。
これら３枚の発光素子基板２１Ａ，２１Ｂ，２１Ｃは電気配線を介して直列に接続され、電源ボックス１２の電源回路から供給された電力が３枚の発光素子基板２１Ａ，２１Ｂ，２１Ｃに供給される。このような配線構造を、図１３（ａ）を参照して説明する。
図１３（ａ）に示すように、３枚の発光素子基板２１Ａ，２１Ｂ，２１Ｃには、長手方向に隣接する２つの発光素子２０，２０の間に、それぞれコネクタ３６ａ，３６ｂ、コネクタ３７ａ，３７ｂ及びコネクタ３８ａ，３８ｂが形成されている。
【００２５】
発光素子基板２１Ａのコネクタ３６ａは、収納ケース２３の幅方向側板２７Ｂ側に寄って形成され、コネクタ３６ｂは、隣接する発光素子基板２１Ｂ側に寄って形成されている。
発光素子基板２１Ｂのコネクタ３７ａは、隣接する発光素子基板２１Ａ側に寄って形成され、コネクタ２７ｂは、隣接する発光素子基板２１Ｃ側に寄って形成されている。
発光素子基板２１Ｃのコネクタ３８ａは、隣接する発光素子基板２１Ｂ側に寄って形成され、コネクタ２８ｂは、収納ケース２３の幅方向側板２７Ａ側に寄って形成されている。
【００２６】
ここで、発光素子基板２１Ａのコネクタ３６ｂ及び発光素子基板２１Ｂのコネクタ３７ａの短手方向の距離はＬ３に設定されており、発光素子基板２１Ｂのコネクタ３７ｂ及び発光素子基板２１Ｃのコネクタ３８ａの短手方向の距離もＬ３に設定されている。
発光素子基板２１Ａのコネクタ３６ａは、電源ボックス１２の電源回路に接続されたプラス側、或いはマイナス側の一方の電気配線３９に接続されている。
発光素子基板２１Ａのコネクタ３６ｂ及び発光素子基板２１Ｂのコネクタ３７ａは、電気配線４０で接続されている。
発光素子基板２１Ｂのコネクタ３７ｂ及び発光素子基板２１Ｃのコネクタ３８ａは、電気配線４１で接続されている。
発光素子基板２１Ｃのコネクタ３８ｂは、電源ボックス１２の電源回路に接続されたプラス側、或いはマイナス側の他方の電気配線４２に接続されている。
【００２７】
ここで、図１３（ｂ）は、３枚の発光素子基板２１Ａ，２１Ｂ，２１Ｃを直列に接続する従来の構造である。
この従来の構造は、３枚の発光素子基板２１Ａ，２１Ｂ，２１Ｃの長手方向に隣接する２つの発光素子２０，２０の間に、各基板の短手方向の中央に、コネクタ４３ａ，４３ｂ、コネクタ４３ｃ，４３ｄ及びコネクタ４３ｅ，４３ｆが形成されている。
この従来の構造では、発光素子基板２１Ａのコネクタ４３ｂ及び発光素子基板２１Ｂのコネ４３クタ４３ｃの短手方向の距離はＬ４に設定され、発光素子基板２１Ｂのコネクタ４３ｄ及び発光素子基板２１Ｃのコネクタ４３ｅの短手方向の距離もＬ４に設定されている。この距離Ｌ４は、図１３（ａ）で示した距離Ｌ３より長い寸法となる（Ｌ４＞Ｌ３）。
したがって、この図１３（ｂ）で示した従来の構造では、図１３（ａ）で示した第１実施形態と比較して、長さの長い電気配線４４をコネクタ４３ｂ、４３ｃに接続し、電気配線４５をコネクタ４３ｄ、４３ｅに接続する必要がある。
【００２８】
［本願発明と第１実施形態の対応関係について］
第１実施形態では、本発明に係る第１の発光素子基板が発光素子基板２１Ｂに対応し、本発明に係る第２及び第３の発光素子基板が発光素子基板２１Ａ，２１Ｃに対応し、本発明に係る側板が幅方向側板２７Ａ，２７Ｂに対応し、本発明に係る収納ケースの一対の側板が幅方向側板２７Ａ，２７Ｂに対応している。また、第１実施形態では、本発明に係る第１コネクタがコネクタ３６ｂ，３７ｂに対応し、本発明に係る第２コネクタがコネクタ３７ａ，３８ａに対応し、第３コネクタがコネクタ３６ａ，３８ｂに対応している。
【００２９】
［第１実施形態の効果］
次に、第１実施形態の効果について説明する。
第１実施形態の発光ユニット４Ａ，４Ｂは、発光素子基板２１Ａ，２１Ｃの外側（隣接する発光素子基板側に対して逆側）に向けて発生する出射光が、収納ケース２３の幅方向側板２７Ａ，２７Ｂに反射する割合が高いので（図１２のＳ１領域）、発光素子基板２１Ａ，２１Ｃの外側の光量が大幅には減少しない。
そして、図１２で示したように、側板−基板間距離Ｌ２が基板間距離Ｌ１に比べて小さな値に設定したことから（Ｌ２＜Ｌ１）、発光素子基板２１Ａ，２１Ｃの外側領域Ｓ１の光量と、３枚の発光素子基板２１Ａ，２１Ｂ，２１Ｃの間の内側領域（図１２のＳ２の領域）の光量が略同じになるので、面発光の均一性を得ることができる。
【００３０】
そして、第１実施形態では、基板間距離をＬ１に設定した３枚の発光素子基板２１Ａ，２１Ｂ，２１Ｃを収納ケース２３の平板部２２に配置したことから、光量の大きな発光素子を使用しなくても、均一な面発光を広い領域で確保することがきる。
この発光ユニット４Ａ，４Ｂを備えた照明装置１をシステム天井に設置することで、天井部の広い領域から室内側に均一な面発光で光源を照射することができる。
また、収納ケース２３の一方の幅方向側板２７Ｂに隣接している光素子基板２１Ａの側板−基板間距離と、収納ケース２３の他方の幅方向側板２７Ａに隣接している発光素子基板２１Ｃの側板−基板間距離Ｌとは、同一値（Ｌ２）に設定されているので、収納ケース２３の短手方向縁部の光量が略同一に設定され、均一な面発光の効果を高めることができる。
【００３１】
また、収納ケース２３の短手方向に隣接している３枚の発光素子基板２１Ａ，２１Ｂ，２１Ｃの基板間距離は同一値（Ｌ１）に設定されているので、収納ケース２３の３枚の発光素子基板２１Ａ，２１Ｂ，２１Ｃの間の光量も略同一に設定され、均一な面発光の効果をさらに高めることができる。
また、収納ケース２３の幅方向側板２７Ａ，２７Ｂは、発光素子２０で発生する出射光を反射することが可能な表面を有しているので、光量の大きな発光素子を使用しなくても、収納ケース２３の短手方向縁部の光量を確保することができるので、コストダウンを図ることもできる。
【００３２】
また、発光素子基板２１Ａのコネクタ３６ｂ及び発光素子基板２１Ｂのコネクタ３７ａと、発光素子基板２１Ｂのコネクタ３７ｂ及び発光素子基板２１Ｃのコネクタ３８ａとは、図１３（ａ）で示したように、互いの基板に寄った位置に形成されているので、これらに接続する電気配線４０，４１の引きまわり距離を短くすることができる。そのため、電気配線４０，４１へのノイズの発生を抑制することができる。これに対して、図１３（ｂ）で示した従来の構造は、基板の短手方向中央に形成したコネクタ４に長さの長い電気配線４４，４５を接続するのでノイズ発生の面で問題がある。
なお、第１実施形態では、収納ケース２３の平板部２２側に、３枚の発光素子基板２１Ａ，２１Ｂ，２１Ｃを配置した構造を示したが、４枚以上の発光素子基板を配置しても同様の効果を奏することができる。
【００３３】
また、第１実施形態では、各発光素子基板２１Ａ，２１Ｂ，２１Ｃを、長尺な一枚の基板に複数の発光素子２９を実装したものを使用したが、複数の短尺な分割発光素子基板を長手方向に列状に配置したものを発光素子基板として使用すると、発光素子基板のコストダウンを図ることができる。
また、収納ケース２３の平板部２２に対する幅方向側板２７Ａ，２７Ｂの傾斜角度は、３枚の発光素子基板２１Ａ，２１Ｂ，２１Ｃに実装されている複数の発光素子２０の１／２ビーム角度領域内に入り込む角度に設定すると、さらに均一な面発光を有する発光ユニット４Ａ，４Ｂを備えた照明装置１を提供することができる。
また、第１実施形態では、器具本体３に２台の発光ユニット４Ａ，４Ｂを装着したが、器具本体３に３台以上の発光ユニットを装着しても、同様の効果を奏することができる。
【００３４】
［第２実施形態の発光素子基板の配線構造］
次に、図１４は、本発明に係る第２実施形態の３枚の発光素子基板２１Ａ，２１Ｂ，２１Ｃを並列配置した構造を示すものである。第１実施形態の図１３（ａ）で示した構成と同一構成部分には、同一符号を付してその説明は省略する。
第２実施形態では、収納ケース２３の一方の幅方向側板２７Ｂ側に、電源ボックス１２の電源回路に接続されたプラス側、或いはマイナス側の一方の太い電気配線４６が延在している。
【００３５】
また、収納ケース２３の他方の幅方向側板２７Ａ側には、電源ボックス１２の電源回路に接続されたプラス側、或いはマイナス側の他方の太い電気配線４７が延在している。
そして、第２実施形態は、第１実施形態の発光素子基板２１Ａのコネクタ３６ａの替わりの構造として、太い電気配線４６を発光素子基板２１Ａの電気機接続部（不図示）に半田付けする半田付け部４８が設けられている。
また、第１実施形態の発光素子基板２１Ｃのコネクタ３８ｂの替わりの構造として、太い電気配線４７を発光素子基板２１Ｃの電気機接続部（不図示）に半田付けする半田付け部４９が設けられている。
【００３６】
［本願発明と第２実施形態の対応関係について］
なお、第２実施形態では、本発明に係る第１コネクタがコネクタ３６ｂ，３７ｂに対応し、本発明に係る第２コネクタがコネクタ３７ａ，３８ａに対応している。
【００３７】
［第２実施形態の効果］
第２実施形態の配線構造によると、第１実施形態と同様に、電気配線４０，４１の引きまわり距離を短くすることができるので、電気配線４０，４１のノイズの発生を抑制することができる。
そして、第２実施形態では、電源ボックス１２から引き出されている電気配線４６，４７は、照明装置１を組み立てるときには手で触れることが多いので、断線などを考慮すると太い電気配線は好適である。
そこで、太い電気配線４６，４７を接続する構造として発光素子基板２１Ａ，２１Ｃに半田付け部４８，４９を設けたことで、大型のコネクタを形成する必要がなく小型の発光ユニット４Ａ，４Ｂを提供することができる。
【００３８】
［第３実施形態の照明装置］
次に、図１５から図１７は、本発明に係る第３実施形態の照明装置５０を示す図である。図１５において、照明装置５０の上下方向の上側をＺ軸の矢印で示し、左右方向の左側をＹ軸の矢印で示し、前側をＸ軸の矢印で示している。
第３実施形態の照明装置５０は、向かい合う一対のＴバー２の間に取り付けられる器具本体５１と、この器具本体５１に収容されている２台の発光ユニット５２Ａ，５２Ｂと、を備えている。
【００３９】
［第３実施形態の器具本体］
器具本体５１は、図１５に示すように、一対のユニット装着部５３Ａ、５３Ｂと、開口部５４を設けて一対のユニット装着部５３Ａ，５３Ｂを離間して取り付けている一対の支持板５５Ａ，５５Ｂと、一対の支持板５５Ａ，５５Ｂにそれぞれ取り付けられるＴバーフック５６と、を備えている。また、図１５では示していないが、発光ユニット５２Ａ，５２Ｂをユニット装着部５３Ａ、５３Ｂに取付けるためのバネ金具と、電源ボックスなども備えている。
【００４０】
［第３実施形態の発光ユニット］
図１６は、発光ユニット５２Ａを構成する部材を示す斜視図であり、図１７は、発光ユニット５２Ａの断面図である。ここで、他の１台の発光ユニット５２Ｂは、発光ユニット５２Ａと同一構成の装置なので説明は省略する。
発光ユニット５２Ａは、器具本体５１のユニット装着部５３Ａに固定ねじで着脱自在に固定される金属板を折曲して形成したユニット支持部材６０と、ユニット支持部材６０に形成した開口部６０ａの周囲で支持されているユニット本体６１と、を備えている。
【００４１】
ユニット本体６１は、ユニット支持部材６０の開口部６０ａを覆うように固定されたヒートシンク６２と、ヒートシンク６２の下面に固定された１枚の長尺状の発光素子基板６３と、発光素子基板６３及びヒートシンク６２の間に挟まれ、ヒートシンク６２の短手方向の端部６２ａ，６２ｂに向かって配置した反射シート６４ａ，６４ｂと、ヒートシンク６２に固定されてユニット支持部材６０の開口部６０ａから膨出するように配置されたカバー６５と、カバー６５の長手方向の端部に装着したカバーエンド６６と、を備えている。
発光素子基板６３は、複数の発光素子６７が長手方向に所定間隔を開け、短手方向に２列配置されて実装された構造を有している。
【００４２】
［第３実施形態の効果］
第３実施形態によると、発光ユニット５２Ａ，５２Ｂは、ユニット本体６１に配置されている発光素子基板６３に、複数の発光素子６７が長手方向に所定間隔を開け、短手方向に２列配置されて実装されて出射光を発生するとともに、発光素子基板６３の短手方向に配置されている反射シート６４ａ，６４ｂが出射光を反射するので、均一の面発光を得ることができる。
なお、複数の発光素子６７が発光素子基板６３の短手方向に２列配置されているので、反射シート６４ａ，６４ｂを設けていなくても広い発光面積で出射光を発生することが可能となり、均一の面発光が得られる。
そして、この発光ユニット５２Ａ，５２Ｂを備えた照明装置５０をシステム天井に設置することで、天井部の広い領域から室内側に均一な面発光で光源を照射することができる。
【符号の説明】
【００４３】
１  照明装置
２  Ｔバー
３  器具本体
４Ａ，４Ｂ  発光ユニット
５Ａ、５Ｂ  ユニット装着部
５ａ  支持板
５ｂ，５ｃ  側壁
６  開口部
７Ａ，７Ｂ  支持板
８  Ｔバーフック
９  バネ金具
１０  電源端子台
１１  調光端子台
１２  電源ボックス
１３  バネ
１４  バネ支持部
１５  アーム部
１６  ユニット受け
１７  配線隠し
１８  電線固定部材
２０  発光素子
２１Ａ，２１Ｂ，２１Ｃ  発光素子基板
２２  平板部
２２ａ，２２ａ  係止部スリット
２２ｃ  平板部の短手方向の一方の縁部
２２ｄ  平板部の短手方向の他方の縁部
２３  収納ケース
２４  カバー
２４ａ  一方の面
２４ｂ  塗装部
２４ｂ  他方の面
２５  反射シート
２５ａ，２５ａ  係止部スリット
２６  基板固定部材
２６ａ  保持板
２６ｂ  腕部
２６ｃ  係止部
２７Ａ，２７Ｂ  幅方向側板
２８Ａ，２８Ｂ  長手方向側板
３０Ａ，３０Ｂ，３０Ｃ，３０Ｄ  弾性部材
３２  バネ掛止具
３３  ヘミング部
３６ａ，３６ｂ，３７ａ，３７ｂ，３８ａ，３８ｂ  コネクタ
３９，４０，４１，４２，４６，４７  電気配線
４８，４９  半田付け部
５０  照明装置
５１  器具本体
５２Ａ，５２Ｂ  発光ユニット
５３Ａ、５３Ｂ  ユニット装着部
５５Ａ，５５Ｂ  支持板
５６  Ｔバーフック
６０  ユニット支持部材
６０ａ  開口部
６１  ユニット本体
６２  ヒートシンク
６２ａ，６２ｂ  ヒートシンクの短手方向の端部
６３  発光素子基板
６４ａ，６４ｂ  反射シート
６５  カバー
６６  カバーエンド
６７  発光素子
【図１】
0006781897.tif 000002
【図２】
0006781897.tif 000003
【図３】
0006781897.tif 000004
【図４】
0006781897.tif 000005
【図５】
0006781897.tif 000006
【図６】
0006781897.tif 000007
【図７】
0006781897.tif 000008
【図８】
0006781897.tif 000009
【図９】
0006781897.tif 000010
【図１０】
0006781897.tif 000011
【図１１】
0006781897.tif 000012
【図１２】
0006781897.tif 000013
【図１３】
0006781897.tif 000014
【図１４】
0006781897.tif 000015
【図１５】
0006781897.tif 000016
【図１６】
0006781897.tif 000017
【図１７】
0006781897.tif 000018